(57)【要約】      （修正有）【課題】島全体を包囲状として、連続状映像を華麗に美しく表現することができ、遊技場のスペースを十分に利用して、趣向を凝らした映像を表現可能な装飾装置を提供する。【解決手段】複数の遊技機２が列設された第１遊技機列１１・第２遊技機列１２を平面視相互平行状に配設した島Ｓにおいて、第１遊技機列の上縁に沿って設けられた第１幕板列２１と、第２遊技機列の上縁に沿って設けられた第２幕板列２２と、島の左右端面５の上縁に配設された妻板８に対して、島に配設した多数のプロジェクターから映像を連続状に投影して、島を包囲状とした連続状装飾表示を行うように構成する。【選択図】図１
2019088425.tif 000002
【特許請求の範囲】
【請求項１】
複数の遊技機（２）が列設された第１遊技機列（11）・第２遊技機列（12）を平面視相互平行状に配設した島（Ｓ）において、
上記第１遊技機列（11）の上縁に沿って設けられた第１幕板列（21）と、上記第２遊技機列（12）の上縁に沿って設けられた第２幕板列（22）と、上記島（Ｓ）の左右端面（５）（５）の上縁に配設された妻板（８）に対して、
上記島（Ｓ）に配設した多数のプロジェクター（Ｐ）から映像を連続状に投影して、
上記島（Ｓ）を包囲状とした連続状装飾表示を行うように構成したことを特徴とする遊技場の装飾装置。
【請求項２】
幕板投影用の上記プロジェクター（Ｐ）は、上記第１・第２遊技機列（11）（12）の複数の遊技機（２）毎に１個ずつ配設され、しかも、上記幕板（４）の上端縁（４Ａ）と同等高さ位置乃至上方位置、かつ、幕板（４）の前面よりも後方位置に、設けられ、
さらに、上記プロジェクター（Ｐ）から照射された映像を、上記幕板（４）よりも前方位置にて反射して上記幕板（４）に投影するミラー（Ｍ）を備えている請求項１記載の遊技場の装飾装置。
【請求項３】
平面視円弧状に妻板（８）が弯曲形成されると共に、該妻板（８）の上記平面視円弧状の内部に、妻板投影用のプロジェクター（Ｐ）が配設され、ミラー（Ｍ）を介して、又は、ミラー無しで直接に、上記プロジェクター（Ｐ）から照射された映像を、上記妻板（８）の裏面（８Ｂ）に投影し、かつ、光透過性の上記妻板（８）に上記装飾表示が行われるようにした請求項１又は２記載の遊技場の装飾装置。
【請求項４】
単数個の映像制御コントローラ（15）を設けて、該コントローラ（15）にて、上記島（Ｓ）に配設された全てのプロジェクター（Ｐ）を制御するよう接続した請求項１，２又は３記載の遊技場の装飾装置。
【請求項５】
上記島（Ｓ）を包囲状とした連続状装飾表示の上に、各個別遊技機（２）の情報表示を、重ねて表示可能に構成した請求項１，２，３又は４記載の遊技場の装飾装置。
【発明の詳細な説明】
【技術分野】
【０００１】
本発明は、パチンコやスロットマシン等の遊技機が列設された遊技場を装飾する装置に関する。
【背景技術】
【０００２】
従来、この種の遊技場では、各遊技機の上部に、遊技の履歴や状況表示を行う表示装置が設けられていた。つまり、呼出しランプやデータカウンタ、あるいは、液晶等の表示装置であったが、遊技場の装飾としては、地味であり、変化に乏しく、単調であった。そこで、これらを改良した装飾装置として、天井壁面に吊下げ状に取付けたプロジェクターから、遊技機の上部に設けた（内部に照明具を有する）ケース体に向けて、映像を投影して装飾を行い、しかも、上記ケース体を内部の照明具にて装飾する遊技場の装飾装置が提案されている（例えば、特許文献１参照）。
【先行技術文献】
【特許文献】
【０００３】
【特許文献１】特許第５５５０５４２号公報
【発明の概要】
【発明が解決しようとする課題】
【０００４】
しかしながら、上記特許文献１のような従来の装置であっても、遊技場の雰囲気を良好に高め、装飾として趣向を凝らす点で、不十分であり、しかも、遊技機が列設されて構築された（いわゆる）島とは別の、建物の天井面に、作業工事を施す必要があった。また、遊技場の（狭い）スペースを十分に利用しつつ趣向を凝らす点で、従来の装飾は不十分であった。
【課題を解決するための手段】
【０００５】
そこで、本発明は、複数の遊技機が列設された第１遊技機列・第２遊技機列を平面視相互平行状に配設した島において、上記第１遊技機列の上縁に沿って設けられた第１幕板列と、上記第２遊技機列の上縁に沿って設けられた第２幕板列と、上記島の左右端面の上縁に配設された妻板に対して、上記島に配設した多数のプロジェクターから映像を連続状に投影して、上記島を包囲状とした連続状装飾表示を行うように構成したものである。
【０００６】
また、幕板投影用の上記プロジェクターは、上記第１・第２遊技機列の複数の遊技機毎に１個ずつ配設され、しかも、上記幕板の上端縁と同等高さ位置乃至上方位置、かつ、幕板の前面よりも後方位置に、設けられ、さらに、上記プロジェクターから照射された映像を、上記幕板よりも前方位置にて反射して上記幕板に投影するミラーを備えている。又は、ミラー無しで直接に、幕板に投影する。
また、平面視円弧状に妻板が弯曲形成されると共に、該妻板の上記平面視円弧状の内部に、妻板投影用のプロジェクターが配設され、ミラーを介して、又は、ミラー無しで直接に、上記プロジェクターから照射された映像を、上記妻板の裏面に投影し、かつ、光透過性の上記妻板に上記装飾表示が行われる。
また、単数個の映像制御コントローラを設けて、該コントローラにて、上記島に配設された全てのプロジェクターを制御するよう接続した。
また、上記島を包囲状とした連続状装飾表示の上に、各個別遊技機の情報表示を、重ねて表示可能に構成した。
【発明の効果】
【０００７】
本発明によれば、島全体を包囲状として、連続状映像を華麗に美しく表現することができる。また、遊技場のスペースを十分に利用して、趣向を凝らした映像を表現可能である。
【図面の簡単な説明】
【０００８】
【図１】本発明の実施の一形態を示す斜視説明図である。
【図２】平面図であって、（Ａ）は島全体の説明用簡略平面図、（Ｂ）は要部平面図である。
【図３】要部説明用簡略断面側面図である。
【図４】他の要部説明用簡略断面正面図である。
【発明を実施するための形態】
【０００９】
以下、図示の実施の形態に基づき本発明を詳説する。
図１と図２に於て、複数の遊技機２が列設された第１遊技機列11と第２遊技機列12を、平面視相互平行状に配設した島Ｓを示す。
【００１０】
各遊技機２は、上部に幕板４を備えている。複数の遊技機２が列設された第１遊技機列11では、その上縁に沿って第１幕板列21が、帯状として左右に長く形成される。
第１遊技機列11と平面視で平行な第２遊技機列12では、その上縁に沿って第２幕板列22が、帯状として左右に長く形成される。
【００１１】
また、島Ｓの左右端面５，５の上縁に配設された妻板８は、平面視円弧状に弯曲形成される。図１と図２に示すように、妻板８と第１幕板列21・第２幕板列22とは、連続状に形成されて、島Ｓの上縁に沿って包囲しているといえる。そして、島Ｓには多数のプロジェクターＰが配設されており、このプロジェクターＰから映像を連続状に投影可能である。このように映像を、連続した妻板８と第１・第２幕板列21，22に投影すれば、島Ｓを包囲状とした連続状装飾表示を行うことができる。
【００１２】
連続状装飾表示は、動画として流すこともでき、あるいは、静止画を次々と切換表示してもよい。また、連続状装飾表示上に各個別遊技機２の情報表示も、重ねて任意に表示することもできる。
単数個の映像制御コントローラ15を、設けて、このコントローラ15によって、島Ｓに配設した全てのプロジェクターＰを制御するのが好ましい。図１では、島Ｓの上面にその映像制御コントローラ15を配設した場合を例示するが、島Ｓ内であれば、その場所は自由に選定できる。
【００１３】
ところで、幕板投影用のプロジェクターＰは、第１遊技機列11，12にあっては、複数の隣り合った遊技機２毎に１個ずつ配設される。図１と図２（Ｂ）では、隣り合った２台の遊技機２，２毎に１個配設される。なお、３台毎や４台毎に１個配設するも自由である（図示省略）。
【００１４】
そして、図１〜図３に示したように、幕板４の上端縁４Ａと同等高さ位置乃至上方位置、しかも、幕板４の前面よりも後方位置に、プロジェクターＰが設けられている。
なお、図１では、柱部18Ａと前方延伸部18Ｂから成るミラー取付部材18が、島Ｓの上面よりも上方へ突出状に設けられているが、このミラー取付部材18の柱部18Ａの前面の貫孔から、プロジェクターＰの投影光が発せられるよう、柱部18Ａの内部に、（又は、その柱部18Ａの下方の位置に、）プロジェクターＰが、配設されている場合を、例示した。
【００１５】
図２（Ｂ）と図３及び図１に示す如く、凸曲面状のミラーＭが、ミラー取付部材18の前方延伸部18Ｂの先端に、下方へ露出するように、付設されている。
図１，図２，図３からも明らかなように、ミラーＭは、幕板４よりも前方位置に配設されており、プロジェクターＰから照射された映像を、幕板４よりも前方かつ上方の位置にて、反射して、幕板４に投影させる。
【００１６】
図２（Ｂ）に示すように、ミラーＭにて反射した光（映像）は、隣り合う２台の遊技機２，２に、またがって投影する。なお、これを、３台や４台の遊技機２に、またがって投影することも自由である（図示省略）。
また、図２（Ａ）では、プロジェクターＰから照射した光を矢印Ｅで示し、ミラー反射光を矢印Ｇで簡略化して示した。
【００１７】
次に、図４と図２（Ａ）（Ｂ）に示すように、妻板８の平面視円弧状の内部に、妻板投影用のプロジェクターＰが配設される。ミラーＭを介して、プロジェクターＰから照射された映像を、妻板８の裏面８Ｂに投影する。妻板８は光透過性として、表て面から装飾表示を見る構成である。
【００１８】
なお、ミラーＭを設けることで、プロジェクターＰの照射は、島内方へ行う。また、（図示省略するが、）ミラーＭを省略して、プロジェクターＰから直接に、妻板８の裏面８Ｂに照射することもでき、その際は、島外方（側外方向）へ照射する。
【００１９】
図１からも明らかなように、幕板４と妻板８の上下幅寸法を相等しく設定し、さらに、島Ｓの４角部に於て、相互に接続連結状としたので、映像が（途切れずに）連続して、かつ、立体状に見映えする。しかも。島Ｓの全周３６０°に渡って、包囲状に映像をもって装飾でき、趣向を凝らした美しく華麗な装飾も自由自在となり、動画とすることもできる。
【００２０】
本発明は、以上詳述したように、複数の遊技機２が列設された第１遊技機列11・第２遊技機列12を平面視相互平行状に配設した島Ｓにおいて、上記第１遊技機列11の上縁に沿って設けられた第１幕板列21と、上記第２遊技機列12の上縁に沿って設けられた第２幕板列22と、上記島Ｓの左右端面５，５の上縁に配設された妻板８に対して、上記島Ｓに配設した多数のプロジェクターＰから映像を連続状に投影して、上記島Ｓを包囲状とした連続状装飾表示を行うように構成したので、遊技場の雰囲気を趣向を凝らした華麗な装飾も可能となり、パチンコやスロット等の遊技を一層楽しむことができることとなる。
【００２１】
また、幕板投影用の上記プロジェクターＰは、上記第１・第２遊技機列11，12の複数の遊技機２毎に１個ずつ配設され、しかも、上記幕板４の上端縁４Ａと同等高さ位置乃至上方位置、かつ、幕板４の前面よりも後方位置に、設けられ、さらに、上記プロジェクターＰから照射された映像を、上記幕板４よりも前方位置にて反射して上記幕板４に投影するミラーＭを備えているので、従来のように、建物の天井面に工事を行う必要がなく、スムーズな遊技機２の入れ替えも可能となる。しかも、競技者にとって、目ざわりな物が、ほとんど目に入らなく、遊技場の雰囲気を、一層、優れたものとできる。
【００２２】
また、平面視円弧状に妻板８が弯曲形成されると共に、該妻板８の上記平面視円弧状の内部に、妻板投影用のプロジェクターＰが配設され、ミラーＭを介して、又は、ミラー無しで直接に、上記プロジェクターＰから照射された映像を、上記妻板８の裏面８Ｂに投影し、かつ、光透過性の上記妻板８に上記装飾表示が行われるので、島Ｓの側方端部（いわゆる島端）も一体的に美しく華麗に装飾可能となる。
【００２３】
また、単数個の映像制御コントローラ15を設けて、該コントローラ15にて、上記島Ｓに配設された全てのプロジェクターＰを制御するよう接続したので、全体として統一感及び物語性のある美しい映像が島Ｓの全周囲に渡って表現できる。
【符号の説明】
【００２４】
２  遊技機
４  幕板
４Ａ  上端縁
５  左右端縁
８  妻板
８Ｂ  裏面
11  第１遊技機列
12  第２遊技機列
15  映像制御コントローラ
21  第１幕板列
22  第２幕板列
Ｍ  ミラー
Ｐ  プロジェクター
Ｓ  島
【図１】
2019088425.tif 000003
【図２】
2019088425.tif 000004
【図３】
2019088425.tif 000005
【図４】
2019088425.tif 000006